(57)【要約】  各交点において実際に押圧されていないにも拘わらず、当該交点において押圧されたものとして検出しないようにする。  第１基板に形成された複数の入力抵抗膜Ｒｉと、第１基板に対して対向配置した第２基板に形成され、複数の入力抵抗膜Ｒｉに対して間隙を存してマトリクス状に交わる複数の出力抵抗膜Ｒｏとを備え、各入力抵抗膜と各出力抵抗膜の交点Ｐについて当該入力抵抗膜Ｒｉと当該出力抵抗膜Ｒｏとが接触状態にあるか否かを検出することで、当該交点Ｐにおいて第２基板に対し第１基板が押圧されたことを検出するマトリクス型タッチパネル装置１０において、各入力抵抗膜Ｒｉへ接触検出用の電圧を印加する電圧印加手段３１と、各出力抵抗膜Ｒｏからの出力電圧値を取得する電圧取得手段３３と、各交点Ｐについて、取得された出力電圧値に基づいて、その出力が、接触状態にあることによるものであるかを判定する判定手段３５とを備えた。
2008026280.tif 000002
【特許請求の範囲】
【請求項１】
第１基板に形成された複数の入力抵抗膜と、前記第１基板に対して対向配置した第２基板に形成され、前記複数の入力抵抗膜に対して間隙を存してマトリクス状に交わる複数の出力抵抗膜とを備え、前記各入力抵抗膜と前記各出力抵抗膜との交点について当該入力抵抗膜と当該出力抵抗膜とが接触した接触状態にあるか否かを検出することで、当該交点において前記第２基板に対し前記第１基板が相対的に押圧されたことを検出するマトリクス型タッチパネル装置において、
前記各入力抵抗膜へ接触検出用の電圧を印加する電圧印加手段と、
前記各出力抵抗膜からの出力電圧値を取得する電圧取得手段と、
前記各交点について、取得された前記出力電圧値に基づいて、その出力が、前記接触状態にあることによるものであるか否かを判定する判定手段と、
を備えたことを特徴とするマトリクス型タッチパネル装置。
【請求項２】
前記複数の入力抵抗膜は、それぞれ一対の入力端子を両端に有し、
前記電圧印加手段は、前記各入力抵抗膜に対し、前記一対の入力端子から選択的に前記押圧検出用の電圧を印加することを特徴とする請求項１に記載のマトリクス型タッチパネル装置。
【請求項３】
前記複数の出力抵抗膜は、それぞれ一対の出力端子を両端に有し、
前記電圧取得手段は、前記各出力抵抗膜からの前記出力電圧値を、前記一対の出力端子から選択的に取得することを特徴とする請求項１に記載のマトリクス型タッチパネル装置。
【請求項４】
前記判定手段は、前記各交点について、前記出力電圧値と、当該交点が前記接触状態にある場合に出力される接触時電圧値と、を比較することで判定することを特徴とする請求項１に記載のマトリクス型タッチパネル装置。
【請求項５】
前記各交点について、出力の有無を検出する出力検出手段を、さらに備え、
前記判定手段は、出力オンが検出された前記各交点についてのみ、判定を行うことを特徴とする請求項１に記載のマトリクス型タッチパネル装置。
【請求項６】
同時に出力オンが検出された複数の前記交点うち、前記接触状態にない可能性がある１の前記交点を含む非接触候補点群を抽出する抽出手段を、さらに備え、
前記抽出手段は、前記非接触候補点群として、そのうちの１の前記交点が前記接触状態になくても、その他の前記交点がそれぞれ前記接触状態にあるために前記１の交点についての出力を可能とする１以上の出力迂回経路を形成する位置関係にあるものを抽出し、
前記判定手段は、抽出された前記非接触候補点群の各交点についてのみ、判定を行うことを特徴とする請求項５に記載のマトリクス型タッチパネル装置。
【請求項７】
前記抽出手段は、前記出力迂回経路を形成する位置関係にあるものとして、２つの前記入力抵抗膜と、２つの前記出力抵抗膜と、から構成される４つの前記交点にあるものを抽出することを特徴とする請求項６に記載のマトリクス型タッチパネル装置。
【請求項８】
前記非接触候補点群の各交点について、前記出力迂回経路を介して出力される偽出力電圧値を算出する算出手段を、さらに備え、
前記判定手段は、前記非接触候補点群の各交点について、前記出力電圧値と前記偽出力電圧値とを比較することで判定することを特徴とする請求項６に記載のマトリクス型タッチパネル装置。
【請求項９】
前記判定手段は、前記各交点について、前記出力電圧値と前記偽出力電圧値とを比較すると共に、前記出力電圧値と当該交点が前記接触状態にある場合に出力される接触時電圧値とを比較することで、判定することを特徴とする請求項８に記載のマトリクス型タッチパネル装置。
【請求項１０】
前記各出力抵抗膜の出力端子は、当該出力抵抗膜の出力取込み時以外には、非接地状態となっており、
前記各出力抵抗膜の出力取込み時に、当該出力抵抗膜の前記出力端子を、前記非接地状態から接地された出力抵抗へ切り替える切替手段を、さらに備えたことを特徴とする請求項１に記載のマトリクス型タッチパネル装置。
【請求項１１】
前記第１、および前記第２基板の少なくとも一方が、導電性シールド部材で覆われていることを特徴とする請求項１に記載のマトリクス型タッチパネル装置。
【発明の詳細な説明】
【技術分野】
【０００１】
本発明は、押圧位置を検出するマトリクス型タッチパネル装置に関するものである。
【背景技術】
【０００２】
従来、この種のマトリクス型タッチパネル装置として、各入力抵抗膜と各出力抵抗膜との交点について、出力電圧を基準電圧と比較して出力の有無を検出することで、各交点において入力抵抗膜と出力抵抗膜とが接触した接触状態にあるか否かを検出し、当該交点において押圧されたこと、すなわち押圧位置を検出するものが知られている（例えば、特許文献１参照）。このマトリクス型タッチパネル装置は、例えば、各種表示装置の表示画面上に重ねて用いられている。これをタッチパネル一体型表示装置と呼ぶ。タッチパネル一体型表示装置は、その押圧位置の検出に基づいて、表示画面の映像を変化させたり、音声を出力したりするようになっている。
【特許文献１】国際公開第０５／０９１１０４号パンフレット
【発明の開示】
【発明が解決しようとする課題】
【０００３】
しかしながら、従来のマトリクス型タッチパネル装置では、各交点について出力オンが検出された場合には、常に、当該交点において押圧されたものとしているため、当該交点において実際に押圧されていないにも拘わらず、出力オンが検出されることを考慮したものではなかった。ここで、各交点において実際に押圧されていないにも拘わらず、出力オンが検出される一例について説明する。図７に示すように、同時に３つの交点Ｐｂ，Ｐｃ，Ｐｄを押圧した場合に、実際に押圧した３つの交点Ｐｂ，Ｐｃ，Ｐｄが、直交３点、すなわち、２つの入力抵抗膜Ｒｉ１，Ｒｉ２と、２つの出力抵抗膜の交点Ｒｏ１，Ｒｏ２とで構成される４つの交点Ｐａ〜Ｐｄのうちの３つに位置しているがために、その３つの交点Ｐｂ，Ｐｃ，Ｐｄがそれぞれ接触状態になると、残りの交点Ｐａについての出力（偽の出力）を可能とする出力迂回経路（Ｐａ−Ｐｂ−Ｐｄ−Ｐｃ−Ｐａ）が形成される。この場合、交点Ｐａについて、実際に押圧されているときの電圧値（接触時電圧値）よりも低いものの出力電圧があり、それが基準電圧値よりも高い場合、出力オンが検出される。このため、実際には押圧していない交点Ｐａをも押圧されているものとして検出してしまうのである。以下、これを「ゴースト現象」という。【０００４】
ここで、ゴースト現象について、マトリックス型タッチパネル一体型表示装置として応用した装置における不具合の具体例を説明する。図８（ａ）には、電子楽器のキーボードを模したタッチパネル一体型表示装置が示されている。ここでは、「Ｄ」，「Ｄ＃」，「Ｆ」の各鍵盤に相当する部分がそれぞれ同時に押圧されている。本来であれば、「Ｄ，Ｄ＃，Ｆ」の和音を出力するはずである。しかし、図８（ｂ）に示すように、この場合、実際に押圧された箇所が、上記の直交３点の位置関係にあるため、ゴースト現象が発生し、「Ｆ＃」の鍵盤に相当する部分をも押圧されているものとして検出してしまう。つまり、「Ｄ，Ｄ＃，Ｆ，Ｆ＃」の和音がスピーカから出力されてしまう。【０００５】
ゴースト現象の他の例について説明する。図９（ａ）は、上記と同じ電子楽器の調節器を模したタッチパネル一体型表示装置が示されている。ここでは、ボリューム調整つまみに相当する部分が押圧されると共に、トーン調整つまみに相当する部分が、同つまみを上下に微小移動させるように、押圧されて（擦られて）いる。本来であれば、表示画面上においてトーン調整つまみが上下に微小移動する（トーンも微妙に変化する）はずである。しかし、図９（ｂ）に示すように、この場合、ボリューム調整つまみに相当する部分が、マトリクス型タッチパネル装置の複数の交点（５つの出力抵抗膜Ｒｏ１〜Ｒｏ５）に跨って押圧されており、トーン調整つまみ部分に相当する入力抵抗膜Ｒｉ１とその５つの出力抵抗膜Ｒｏ１〜Ｒｏ５から構成される５つの交点Ｐａ〜Ｐｅのいずれか１つを押圧すると、ゴースト現象により、５つの交点Ｐａ〜Ｐｅすべてが押圧されているものとして検出してしまう。つまり、トーン調整つまみは、出力抵抗膜Ｒｏ１〜Ｒｏ５の領域に固定（クランプ）されてしまい、上下に微小移動しない（トーンも変化しない）。これも、ゴースト現象の一種であるが、特に「クランプ現象」という。【０００６】
さらに、特許文献１のマトリクス型タッチパネル装置には、次のような問題点があった。特許文献１Fig.2Bに示されているように、各出力抵抗膜の出力端子は、当該出力抵抗膜の出力取込み時以外に、接地状態となっている。このため、本願の図１０に示すように、出力検出対象の交点Ｐａが実際に押圧されている（接触状態にある）場合であっても、当該交点Ｐａを構成する出力抵抗膜Ｒｏ１において、当該交点Ｐａと出力端子との間にある中間交点Ｐｂが接触状態にあり、さらに当該中間交点Ｐｂを構成する入力抵抗膜Ｒｉ１と他の出力抵抗膜Ｒｏ２との交点である中間交点Ｐｃも接触状態にある場合には、その出力取込み時以外の出力抵抗膜Ｒｏ２の出力端子が接地しているがために、出力取込み対象の出力抵抗膜Ｒｏ１からの出力電圧値が低下してしまう。中間交点Ｐｂ、Ｐｃが一組であれば出力電圧値が低下しても、基準電圧値以上であれば接触と検出されることもあるが、中間交点Ｐｂ、Ｐｃのような位置関係にある複数の点の組が接触状態にあり、出力電圧値が基準電圧値よりも低下すると、実際に交点Ｐａが押圧されているにも拘わらず、その出力が、接触状態にあることによるものではないと判断してしまう。つまり、中間交点Ｐｂ，Ｐｃを構成している出力抵抗膜Ｒｏ１，Ｒｏ２において、中間交点Ｐｂ，Ｐｃよりも出力端子の反対側の各交点（例えば交点Ｐａ）については、接触状態（押圧）が検出されることがなく、いわば出力抵抗膜Ｒｏ１，Ｒｏ２上が「不感帯」となっている。以下、これを「不感帯現象」という。【０００７】
ここで、不感帯現象について、マトリックス型タッチパネル一体型表示装置として応用した装置における不具合の具体例を説明する。図１１（ａ）には、上記と同じ電子楽器の調節器を模したタッチパネル一体型表示装置が示されている。ここでは、ボリューム調整つまみに相当する部分が押圧されると共に、トーン調整つまみに相当する部分が、同つまみを上方にスライドさせるように、押圧されて（なぞられて）いる。本来であれば、表示画面上においてトーン調整つまみが上方にスライドする（トーンも変化する）はずである。しかし、図１１（ｂ）に示すように、この場合、ボリューム調整つまみに相当する部分が、マトリクス型タッチパネル装置の５つのの出力抵抗膜Ｒｏ１〜Ｒｏ５）に跨って押圧されており、トーン調整つまみ部分に相当する入力抵抗膜Ｒｉ１とその５つの出力抵抗膜Ｒｏａ〜Ｒｏｅから構成される５つの交点Ｐａ〜Ｐｅのいずれの交点を押圧しても、不感帯現象により、押圧が検出されることがない。つまり、トーン調整つまみは、出力抵抗膜Ｒｏ１〜Ｒｏ５の領域を飛び越えるようにして、上方に移動することになる（トーンも急激に変化する）。なお、図９（ｂ）と図１１（ｂ）の押圧交点の相対的な位置関係は同一である。マトリックス型抵抗膜式のタッチパネルでは交点の絶対位置によって抵抗膜長が変わるため出力電圧も異なる。クランプ現象が生じるか、不感帯現象が生じるかは、図９（ｂ）、図１１（ｂ）の押圧交点がタッチパネルのどの領域であるかと、基準電圧の設定とに依存して決まる。【０００８】
そこで、本発明は、各交点において実際に押圧されていないにも拘わらず、当該交点において押圧されたものとして検出することがないマトリクス型タッチパネル装置を提供することを課題としている。
【課題を解決するための手段】
【０００９】
本発明のマトリクス型タッチパネル装置は、第１基板に形成された複数の入力抵抗膜と、第１基板に対して対向配置した第２基板に形成され、複数の入力抵抗膜に対して間隙を存してマトリクス状に交わる複数の出力抵抗膜とを備え、各入力抵抗膜と各出力抵抗膜との交点について当該入力抵抗膜と当該出力抵抗膜とが接触した接触状態にあるか否かを検出することで、当該交点において第２基板に対し第１基板が相対的に押圧されたことを検出するマトリクス型タッチパネル装置において、各入力抵抗膜へ接触検出用の電圧を印加する電圧印加手段と、各出力抵抗膜からの出力電圧値を取得する電圧取得手段と、各交点について、取得された出力電圧値に基づいて、その出力が、接触状態にあることによるものであるか否かを判定する判定手段と、を備えたことを特徴とする。【００１０】
この構成によれば、実際には押圧されていないにも拘わらず、出力の検出された交点がある場合には、判定手段により、その出力が、接触状態にあることによるものではないと判断する。つまり、その出力が偽の出力であると判断する。このため、各交点において実際に押圧されていないにも拘わらず、当該交点において押圧されたものとして検出することがない。【００１１】
この場合、複数の入力抵抗膜は、それぞれ一対の入力端子を両端に有し、電圧印加手段は、各入力抵抗膜に対し、一対の入力端子から選択的に押圧検出用の電圧を印加することが好ましい。また、複数の出力抵抗膜は、それぞれ一対の出力端子を両端に有し、電圧取得手段は、各出力抵抗膜からの出力電圧値を、一対の出力端子から選択的に取得することが好ましい。【００１２】
この構成によれば、複数の入力抵抗膜が、それぞれ一対の入力端子を両端に有する場合には、各交点について、接触検出用の電圧の入力経路が、２通り形成される。そして、経路長により、出力電圧値が異なるため、各交点について２通りの出力電圧値が得られることになる。このため、判定に使用可能な出力電圧値の数を増やすことができ、適切に判定を行うことができる。
複数の出力抵抗膜が、それぞれ一対の出力端子を両端に有する場合も、同様である。
さらに、複数の入力抵抗膜が、それぞれ一対の入力端子を両端に有すると共に、複数の出力抵抗膜が、それぞれ一対の出力端子を両端に有することが、さらに好ましい。この場合には、４通り（２×２）の出力電圧値を得ることができる。このため、判定に使用可能な出力電圧値の数をさらに増やすことができ、より適切に判定を行うことができる。【００１３】
この場合、判定手段は、各交点について、出力電圧値と、当該交点が接触状態にある場合に出力される接触時電圧値と、を比較することで判定することが好ましい。【００１４】
この構成によれば、接触時電圧値と比較することで、判定を的確に行うことができる。【００１５】
この場合、各交点について、出力の有無を検出する出力検出手段を、さらに備え、判定手段は、出力オンが検出された各交点についてのみ、判定を行うことが好ましい。【００１６】
この構成によれば、判定対象となる交点の個数が少なくなる。すなわち、接触状態にないにも拘わらず偽の出力がなされている可能性のある交点についてのみ、判定を行うことになる。このため、判定処理に要する時間を短縮することができる。【００１７】
この場合、同時に出力オンが検出された複数の交点うち、接触状態にない可能性がある１の交点を含む非接触候補点群を抽出する抽出手段を、さらに備え、抽出手段は、非接触候補点群として、そのうちの１の交点が接触状態になくても、その他の交点がそれぞれ接触状態にあるために１の交点についての出力を可能とする１以上の出力迂回経路を形成する位置関係にあるものを抽出し、判定手段は、抽出された非接触候補点群の各交点についてのみ、判定を行うことが好ましい。【００１８】
これに対し、偽の出力がなされている可能性のある交点として、出力迂回経路を形成する位置関係にある非接触候補点群を抽出することで、判定対象となる交点の個数がさらに少なくなる。このため、判定処理に要する時間をより短縮することができる。【００１９】
この場合、抽出手段は、出力迂回経路を形成する位置関係にあるものとして、２つの入力抵抗膜と、２つの出力抵抗膜と、から構成される４つの交点にあるものを抽出することが好ましい。【００２０】
この構成によれば、非接触候補点群の抽出処理を簡易に行うことができる。。【００２１】
この場合、非接触候補点群の各交点について、出力迂回経路を介して出力される偽出力電圧値（ゴースト現象時の出力：ゴースト出力電圧）を算出する算出手段を、さらに備え、判定手段は、非接触候補点群の各交点について、出力電圧値と偽出力電圧値とを比較することで判定することが好ましい。【００２２】
この構成によれば、偽出力電圧値と比較することで、判定を的確に行うことができる。【００２３】
この場合、判定手段は、各交点について、出力電圧値と偽出力電圧値とを比較すると共に、出力電圧値と当該交点が接触状態にある場合に出力される接触時電圧値とを比較することで、判定することが好ましい。【００２４】
この構成によれば、出力電圧値について、偽出力電圧値と比較することに加え、接触時電圧値と比較することで、判定をより的確に行うことができる。【００２５】
この場合、各出力抵抗膜の出力端子は、当該出力抵抗膜の出力取込み時以外には、非接地状態となっており、各出力抵抗膜の出力取込み時に、当該出力抵抗膜の出力端子を、非接地から接地された出力抵抗へ接続を切り替える切替手段を、さらに備えたことが好ましい。【００２６】
この構成によれば、各出力抵抗膜の出力端子は、当該出力抵抗膜の出力取込み時以外には、非接地状態（ハイインピーダンス）となっていることで、上記した従来技術のように不感帯現象が生ずることがない。【００２７】
この場合、タッチパネルが導電性シールド部材でタッチパネル上面、下面の少なくとも一方が覆われていることが好ましい。【００２８】
この構成によれば、外部からのノイズの影響が少なくなるため、誤検出を回避することができる。
なお、導電性シールド部材は、タッチパネルを表示装置と組み合わせて使う場合、透明抵抗膜で構成することが好ましい。また、導電性シールド部材は、接地していることが好ましい。
【発明を実施するための最良の形態】
【００２９】
以下、添付の図面を参照して、本発明の一実施形態について説明する。本実施形態に係るマトリクス型タッチパネル装置（以下、単に「タッチパネル」ともいう）は、例えば、液晶表示装置の表示画面上に重ねて用いられ（タッチパネル一体型表示装置）、ユーザにより、検出面（上面）が指等で押圧された場合に、その押圧を検出するものである。タッチパネル一体型表示装置は、その押圧検出に基づいて、表示画面の映像を変化させたり、音声を出力したりする。【００３０】
図１に示すように、タッチパネル１０は、下面に複数の入力抵抗膜Ｒｉを形成した第１基板１１と、第１基板１１に対して対向配置され、上面に複数の出力抵抗膜Ｒｏを形成した第２基板２１とを備え、第１基板１１と第２基板２１とは、ドットスペーサ（図示省略）を介して重ね合わされている。複数の入力抵抗膜Ｒｉは、第１基板１１の下面に形成されており、同様に、複数の出力抵抗膜Ｒｏは、第２基板２１の上面に形成されている。そして、複数の入力抵抗膜Ｒｉと複数の出力抵抗膜Ｒｏとは、上下方向に間隙を存し且つ平面視マトリクス状に複数の交点Ｐを構成している。【００３１】
第１基板１１は、可とう性の透明フィルムで構成されている。他方、第２基板２１は、ガラス板で構成されている。複数の入力抵抗膜Ｒｉおよび複数の出力抵抗膜Ｒｏは、それぞれ透明抵抗膜（例えばＩＴＯ）で構成されている。各入力抵抗膜Ｒｉの両端には、入力端子１３が設けられている（図１では片側のみ示す）。同様に、各出力抵抗膜Ｒｏの両端には、出力端子２３が設けられている（図１では、片側のみ示す）。【００３２】
タッチパネル１０は、第２基板２１を下方にして図外の表示画面上に設置され、ユーザにより、各交点Ｐに対し、上方から第１基板１１が第２基板２１に対して押圧されると、当該交点Ｐにおいて各入力抵抗膜Ｒｉと各出力抵抗膜Ｒｏとが接触した接触状態になることで、入力抵抗膜Ｒｉへ印加した接触検出用の電圧が出力抵抗膜Ｒｏから出力される。この出力に基づいて、第１基板１１が押圧されたことを検出する。【００３３】
さらに、第１基板の上面に、導電性シールド膜１４が設けられている。導電性シールド膜１４は、透明抵抗膜抵抗膜で構成され、接地状態にある。また、導電性シールド膜１４は基板１１により入力抵抗膜Ｒｉと常時絶縁状態となっている。この導電性シールド膜１４により、外部からのノイズの影響が少なくなるため、誤検出を回避することができる。なお、下方（特に表示装置）からのノイズの影響を考慮すれば、第２基板２１の下面にも、導電性シールド膜を設けることが好ましい。もっとも、表示画面の見やすさを考慮すれば、導電性シールド膜の層数は必要最小限であることが好ましい。【００３４】
図２に示すように、タッチパネル１０は、電圧印加部３１と、切替部３２と、ＡＤコンバータ３３と、コンパレータ３４と、ＣＰＵ３５とを備えている。電圧印加部３１は、各入力抵抗膜Ｒｉの両端にそれぞれ入力端子１３（図２では図示省略）が設けられていることに対応して、２つ設けられている。同様に、切替部３２、ＡＤコンバータ３３およびコンパレータ３４は、各出力抵抗膜Ｒｏの両端にそれぞれ出力端子２３が設けられていることに対応して、２つ設けられている。【００３５】
各電圧印加部３１は、複数の入力抵抗膜Ｒｉに対し、端から順に１つずつ、押圧検出用の電圧を印加（入力スイーブ）するものである。各切替部３２は、ＩＣ等のスイッチング素子で構成され、複数の出力抵抗膜Ｒｏについて、端から順に１つずつ、各出力端子２３を非接地状態（ハイインピーダンス）から接地された出力抵抗へ接続を切り替え、出力電圧を取り込む（出力スキャン）ものである。すなわち、各出力端子２３は、上記した従来技術における不感帯現象の発生を防止すべく、各出力抵抗膜の出力取込み時以外には、非接地状態となっているが、各切替部３２により、出力取込み時には、出力抵抗Ｒｐｄを介して接地するようになっている。そして、各交点Ｐにおいて各入力抵抗膜Ｒｉと各出力抵抗膜Ｒｏとが接触した接触状態である場合に、出力抵抗膜Ｒｏから電圧が出力される。【００３６】
そして、ひとつの入力抵抗膜Ｒｉに対し押圧検出用の電圧を印加した状態で、複数の出力抵抗膜Ｒｏについて順に出力スキャンした後、隣の入力抵抗膜Ｒｉに対し電圧を印加し、同様に出力スキャンを行う。これを繰り返し行うことで、すべての交点Ｐについて、出力電圧を取り込む。【００３７】
また、各入力抵抗膜Ｒｉの両端にそれぞれ入力端子１３が設けられているため、各電圧印加部３１により、各入力抵抗膜Ｒｉの両端に対し選択的に電圧を印加することができる。同様に、各出力抵抗膜Ｒｏの両端にそれぞれ出力端子２３が設けられているため、各切替部３２により、各出力抵抗膜Ｒｏの両端から選択的に電圧を出力させることができる。このため、各交点Ｐについて、押圧検出用の電圧の入出力の経路が、４通り（図示では、下入力・左出力、上入力・左出力、下入力・右出力、上入力・右出力）形成される。そして、経路長（抵抗膜の長さ）により、出力電圧値が異なるため、各交点Ｐについて４通りの出力電圧値が得られる（詳細は後述する）。【００３８】
各ＡＤコンバータ３３（電圧取得部）は、各出力抵抗膜Ｒｏから取り込まれた出力電圧をＡＤ変換して出力電圧値（例えば１０ビット）を取得し、これをＣＰＵ３５に出力している。【００３９】
各コンパレータ３４は、各出力抵抗膜Ｒｏから取り込まれた出力電圧と、基準電圧とを比較し、その結果をデジタル的にＣＰＵ３５に出力している。ＣＰＵ３５は、その出力結果に基づいて、各交点Ｐについて出力の有無を検出している。なお、請求の範囲における「検出手段」は、主に、コンパレータ３４とＣＰＵ３５とにより構成されている。ＣＰＵ３５は、このほか、後述する各種演算処理や判定処理を行っており、請求の範囲における判定手段、抽出手段および算出手段は、主にＣＰＵ３５により構成されている。【００４０】
このように構成されたタッチパネル１０においても、従来技術で説明したマトリクス型タッチパネルと同様に、同時に直交３点の位置関係となる３つの交点Ｐが押圧された場合には、実際には押圧されていない（入力抵抗膜Ｒｉと出力抵抗膜Ｒｏとが非接触状態にある）交点Ｐにおいても、当該出力抵抗膜Ｒｏから出力がされてしまう（ゴースト現象）。そこで、本実施形態のタッチパネル１０は、非接触状態の交点Ｐから出力がされた場合にも、これを接触状態であると検出しないようにすべく、以下の押圧検出処理を行っている。【００４１】
図３は、押圧検出処理の一連のフローを示している。まず、ＣＰＵ３５は、コンパレータ３４からのデジタル出力結果に基づいて、すべての交点Ｐについて、それぞれ出力の有無を検出する（Ｓ１１）。コンパレータ３４の基準電圧は、各交点が非接触状態（通常、接触状態時よりも低い電圧値が出力される）であっても、出力オンとして検出する値に設定されている。なお、上述したように、各交点Ｐについて４通りの出力電圧値を得るべく４通りの入出力経路があるが、ここでは、出力がオンかオフかの検出であるから、１通りの入出力経路を用いれば足りる。もっとも、交点Ｐがタッチパネルのどこに位置するかで押圧時の抵抗膜長が異なり、出力電圧値が異なるので、コンパレター３４の基準電圧との差がなるべく大きく、つまりノイズ等を受けにくくなるよう、適当な入出力経路を用いて出力の有無を検出することもできる。【００４２】
図４は、出力の有無の検出結果の一例である。ここでは、実際には、交点Ｐａは非接触状態であるが、交点Ｐａを含む５つの交点Ｐａ〜Ｐｅが出力オン（図４では「１」で示す）として検出されている。残りの交点Ｐは出力オフ（図４では空欄）となっている。【００４３】
次に、ＣＰＵ３５により、同時に出力オンが検出された５つの交点Ｐａ〜Ｐｅのうち、接触状態にない可能性がある交点を含む非接触候補点群を抽出する。すなわち、非接触候補点群として、そのうちのひとつの交点Ｐが接触状態になくても、その他の交点がそれぞれ接触状態にあるために、交点Ｐについての出力を可能とする出力迂回経路を形成する位置関係にあるものを抽出する。【００４４】
より具体的には、ＣＰＵ３５は、出力迂回経路を形成する位置関係にあるものとして、２つの入力抵抗膜Ｒｉと、２つの出力抵抗膜Ｒｏと、から構成される４つの交点Ｐにあるものを抽出する。すなわち、まず、各入力抵抗膜Ｒｉについて、出力オンの交点Ｐが２つ以上あるか否かを順に調べていく。ここでは、入力抵抗膜Ｒｉ１上に、出力オンの２つの交点Ｐａ，Ｐｂがあることがわかる。このとき、交点Ｐａは、出力抵抗膜Ｒｏ１上に、交点Ｐｂは、出力抵抗膜Ｒｏ２上にあると認識する。続いて、ＣＰＵ３５は、他の入力抵抗膜Ｒｉ上において、出力抵抗膜Ｒｏ１または出力抵抗膜Ｒｏ２上に、出力オンの交点Ｐがあるか否かを調べていく。ここでは、入力抵抗膜Ｒｉ２上において、出力抵抗膜Ｒｏ１上に出力オンの交点Ｐｃがあることがわかる。そうだとすれば、入力抵抗膜Ｒｉ２と出力抵抗膜Ｒｏ２との交点Ｐｄにおいても、仮に接触状態にないとしてもゴースト現象により、出力オンが検出されているはずである。そして、実際に、交点Ｐｄが出力オンであることが確認される。このようにして、出力オンが検出された５つの交点Ｐａ〜Ｐｅのうち、４つの交点Ｐａ〜Ｐｄが、出力迂回経路を形成する位置関係にあると認識される。換言すれば、実際には押圧されていない可能性がある交点Ｐ含む非接触候補点群として、これら４つの交点Ｐａ〜Ｐｄが抽出される。【００４５】
次に、ＡＤコンバータ３３は、抽出された非接触候補点群の各交点Ｐａ〜Ｐｄについて、ＡＤ変換した出力電圧値を取得する（Ｓ１３）。すなわち、上述したように、４通りの入出力経路から、４通りの出力電圧値を得る。次に、ＣＰＵ３５は、４つの交点Ｐａ〜Ｐｄそれぞれについて、接触状態にあるか否かを判定する（Ｓ１４）。すなわち、各入出力経路毎に、予め記憶された計算上の（または試験的に求めた）接触時電圧値と、ＡＤ変換された出力電圧値とを比較し、出力電圧値が接触時電圧値よりも有意に小さい（出力電圧値＜接触時電圧値−δ、δ：測定誤差最大値）場合には、その出力が、接触状態にあることによるものではないとして判断する。以下、具体的に説明する。【００４６】
図５は、非接触状態である交点Ｐａについて、各入出力経路における出力迂回経路を示す図である。ここで、仮に、入出力経路が「下入力・左出力」（図５（ａ）参照）しかないとする。この場合、交点Ｐａがタッチパネル１０全体のどこに位置しているかによって、接触時電圧値との差分が小さい出力電圧値しか取得できない場合がある。すなわち、交点Ｐａがタッチパネル１０全体の左下に位置している場合には、正常経路長「ａ１＋ｂ１」がさほど大きい値でないため、経路差「２ｍ＋２ｎ」により、接触時電圧値との差分が大きい出力電圧値を取得することができる。しかし、交点Ｐａがタッチパネル１０全体の右上に位置している場合には、正常経路長「ａ１＋ｂ１」が相当大きい値となるため、接触時電圧値との差分が小さい出力電圧値しか取得することができない。この場合には、交点Ｐａが接触状態であるか否かを判定を適切に行うことができないおそれがある。【００４７】
この問題に対し、本実施形態のタッチパネル１０では、上述したように、４通りの入出力経路により４通りの出力電圧値を得ることができるため、交点Ｐａが、タッチパネル１０全体のどこに位置していようとも、少なくとも１つの入出力経路において、接触時電圧値との差分が大きい出力電圧値を得ることができる。具体的には、交点Ｐａがタッチパネル１０全体の右上に位置している場合でも、入出力経路「上入力・左出力」（図５（ｂ）参照）によれば、正常経路「ａ２＋ｂ１」がさほど大きくないため、経路差「２ｎ」により、接触時電圧値との差分が大きい出力電圧値を取得することができる。つまり、上述したように、各入出力経路毎に、予め記憶された計算上の接触時電圧値と、取得した出力電圧値とを比較することで、非接触状態にある交点Ｐａについて、少なくとも１の入出力経路により、出力電圧値が接触時電圧値よりも有意に小さいとして、適切に判断することができる。【００４８】
同様のことは、実際に非接触状態にある交点Ｐが、その可能性があるとして抽出された４つの交点Ｐのうちのいずれの位置にあるか、についても言える。すなわち、上述したように、入出力経路が「下入力・左出力」しかないとしても、交点Ｐａが非接触状態にある場合には、出力迂回経路が「２ｍ＋２ｎ」と長いため、接触時電圧値との差分が大きい出力電圧値を取得することができる。しかし、交点Ｐｄが非接触状態である場合には、出力迂回経路が最も短く「ｍ＋ｎ」であるため（交点Ｐａでは、図５（ｄ）の「上入力・右出力」の場合に相当）、接触時電圧値との差分が最も小さい出力電圧値しか取得することができない。【００４９】
この問題に対しても、本実施形態のタッチパネル１０では、４通りの入出力経路により４通りの出力電圧値を得ることができるため、実際に非接触状態にある交点Ｐが、抽出された４つの交点Ｐのうちのいずれの位置にあろうとも、少なくとも１つの入出力経路において、接触時電圧値との差分が大きい出力電圧値を得ることができる。具体的には、交点Ｐｄが非接触状態である場合でも、入出力経路「上入力・右出力」によれば、出力迂回経路が「２ｍ＋２ｎ」と長いため（交点Ｐａでは、図５（ａ）の「下入力・左出力」の場合に相当）、接触時電圧値との差分が大きい出力電圧値を取得することができる。【００５０】
このように、４通りの入出力経路により、４通りの出力電圧値を得ることで、４通りの出力電圧値を用いて、各交点Ｐが接触状態にあるか否かの判定を行うことができ、適切に判定を行うことができる。【００５１】
また、本実施形態では、偽の出力がなされている可能性のある交点Ｐとして、出力迂回経路を形成する位置関係にある非接触候補点群を出力電圧値取得前に抽出することで、判定対象となる交点Ｐの個数が少なくなる。このため、判定処理に要する時間を短縮することができる。【００５２】
さらに、本実施形態では、出力電圧値と接触時電圧値とを比較したが、ＣＰＵ３５により、各交点Ｐについて、出力迂回経路を介して出力される偽出力電圧値を算出し、算出した偽出力電圧値と、取得した出力電圧値とを比較するようにしてもよい。さらに、接触時電圧値と比較すると共に、偽出力電圧値とも比較するようにすれば、判定をより的確に行うことができる。なお、図６に示すように、１の交点Ｐａについて、複数の出力迂回経路が形成される場合もあり得る。この場合には、ＣＰＵ３５により、交点Ｐａについて、複数の出力迂回経路を介して出力される偽出力電圧値、あるいは接触時電圧値を算出し判別に用いる。【００５３】
以上のように、本実施形態のタッチパネル１０によれば、各交点Ｐにおいて実際に押圧されていないにも拘わらず、当該交点Ｐにおいて押圧されたものとして検出することがない。なお、このタッチパネル１０の応用例としては、ＤＪ機器（プレイヤー、ミキサー等）、電子楽器、ＭＩＤＩコントローラのほか、ゲーム機、タッチパネル式ＰＣ、ＰＤＡ（個人用携帯情報端末）、携帯電話、銀行ＡＴＭ等を挙げることができる。【００５４】
特に、本実施形態のタッチパネル１０は、同時に３点以上押圧された場合にも、ゴースト現象・クランプ現象や不感帯現象が発生することがなく、その押圧位置の検出結果が保証される。このため、複数の指で同時に操作できれば効率が上がる機器や、複数の人が同時に操作することが利便性が増す機器に適用された場合に効果が大きい。
【図面の簡単な説明】
【００５５】
【図１】本発明の一実施形態に係るマトリクス型タッチパネル装置の構造を示す図である。
【図２】本発明の一実施形態に係るマトリクス型タッチパネル装置の回路構成を示す図である。
【図３】本発明の一実施形態に係るマトリクス型タッチパネル装置における押圧検出処理を説明するフローチャートである。
【図４】押圧検出処理における出力の有無の検出結果の一例を示す図である。
【図５】本発明の一実施形態に係るマトリクス型タッチパネル装置における４通りの入出力経路を説明する図である。
【図６】本発明の一実施形態に係るマトリクス型タッチパネル装置において、１の交点に対し複数の出力迂回経路が形成される一例を示す図である。
【図７】従来技術に係るマトリクス型タッチパネル装置におけるゴースト現象を説明する図である。
【図８】従来技術に係るマトリクス型タッチパネル装置をマトリックス型タッチパネル一体型表示装置として応用した装置におけるにおけるゴースト現象による不具合の具体例を示す図である。
【図９】（ａ）は従来技術に係るマトリクス型タッチパネル装置をマトリックス型タッチパネル一体型表示装置として応用した装置におけるゴースト現象の１つであるクランプ現象による不具合の具体例を示す図であり、（ｂ）は従来技術に係るマトリクス型タッチパネル装置におけるゴースト現象の１つであるクランプ現象の具体例を示す図である。
【図１０】従来技術に係るマトリクス型タッチパネル装置における不感帯現象を説明する図である。
【図１１】（ａ）は従来技術に係るマトリクス型タッチパネル装置をマトリックス型タッチパネル一体型表示装置として応用した装置における不感帯現象による不具合の具体例を示す図であり、（ｂ）は従来技術に係るマトリクス型タッチパネル装置における不感帯現象の具体例を示す図である。
【符号の説明】
【００５６】
１０…タッチパネル  １１…第１基板  １３…入力端子  １４…導電性シールド膜  ２１…第２基板  ２３…出力端子  ３１…電圧印加部  ３２…切替部  ３３…ＡＤコンバータ  ３４…コンパレータ  ３５…ＣＰＵ  Ｐ…交点  Ｒｉ…入力抵抗膜  Ｒｏ…出力抵抗膜
【図１】
2008026280.tif 000003
【図２】
2008026280.tif 000004
【図３】
2008026280.tif 000005
【図４】
2008026280.tif 000006
【図５】
2008026280.tif 000007
【図６】
2008026280.tif 000008
【図７】
2008026280.tif 000009
【図８】
2008026280.tif 000010
【図９】
2008026280.tif 000011
【図１０】
2008026280.tif 000012
【図１１】
2008026280.tif 000013
【手続補正書】
【提出日】平成20年5月26日(2008.5.26)
【手続補正１】
【補正対象書類名】特許請求の範囲
【補正対象項目名】全文
【補正方法】変更
【補正の内容】
【特許請求の範囲】
【請求項１】
第１基板に形成されると共にそれぞれ一対の入力端子を両端に有する複数の入力抵抗膜と、前記第１基板に対して対向配置した第２基板に形成され、前記複数の入力抵抗膜に対して間隙を存してマトリクス状に交わると共にそれぞれ一対の出力端子を両端に有する複数の出力抵抗膜とを備え、前記各入力抵抗膜と前記各出力抵抗膜との交点について当該入力抵抗膜と当該出力抵抗膜とが接触した接触状態にあるか否かを検出することで、当該交点において前記第２基板に対し前記第１基板が相対的に押圧されたことを検出するマトリクス型タッチパネル装置において、
前記各入力抵抗膜に対し、前記一対の入力端子のいずれかから選択的に接触検出用の電圧を印加する電圧印加手段と、
前記各出力抵抗膜からの出力電圧値を、前記一対の出力端子のいずれかから選択的に取得する電圧取得手段と、
前記各交点について、取得された前記出力電圧値に基づいて、その出力が、前記接触状態にあることによるものであるか否かを判定する判定手段と、
を備えたことを特徴とするマトリクス型タッチパネル装置。
【請求項２】
第１基板に形成された複数の入力抵抗膜と、前記第１基板に対して対向配置した第２基板に形成され、前記複数の入力抵抗膜に対して間隙を存してマトリクス状に交わる複数の出力抵抗膜とを備え、前記各入力抵抗膜と前記各出力抵抗膜との交点について当該入力抵抗膜と当該出力抵抗膜とが接触した接触状態にあるか否かを検出することで、当該交点において前記第２基板に対し前記第１基板が相対的に押圧されたことを検出するマトリクス型タッチパネル装置において、
前記各入力抵抗膜へ接触検出用の電圧を印加する電圧印加手段と、
前記各出力抵抗膜からの出力電圧値を取得する電圧取得手段と、
前記各交点について、取得された前記出力電圧値と、当該交点が前記接触状態にある場合に出力される接触時電圧値と、を比較することで、その出力が、前記接触状態にあることによるものであるか否かを判定する判定手段と、
を備えたことを特徴とするマトリクス型タッチパネル装置。
【請求項３】
第１基板に形成された複数の入力抵抗膜と、前記第１基板に対して対向配置した第２基板に形成され、前記複数の入力抵抗膜に対して間隙を存してマトリクス状に交わる複数の出力抵抗膜とを備え、前記各入力抵抗膜と前記各出力抵抗膜との交点について当該入力抵抗膜と当該出力抵抗膜とが接触した接触状態にあるか否かを検出することで、当該交点において前記第２基板に対し前記第１基板が相対的に押圧されたことを検出するマトリクス型タッチパネル装置において、
前記各入力抵抗膜へ接触検出用の電圧を印加する電圧印加手段と、
前記各出力抵抗膜からの出力電圧値を取得する電圧取得手段と、
前記各交点について、取得された前記出力電圧値に基づいて、出力の有無を検出する出力検出手段と、
前記出力検出手段により同時に出力オンが検出された複数の前記交点のうち、前記接触状態にない可能性がある１の前記交点を含む非接触候補点群を抽出する抽出手段と、
抽出された前記非接触候補点群の前記各交点について、その出力が、前記接触状態にあることによるものであるか否かを判定する判定手段と、を備え、
前記抽出手段は、前記非接触候補点群として、そのうちの１の前記交点が前記接触状態になくても、その他の前記交点がそれぞれ前記接触状態にあるために前記１の交点についての出力を可能とする１以上の出力迂回経路を形成する位置関係にあるものを抽出することを特徴とするマトリクス型タッチパネル装置。
【請求項４】
（削除）
【請求項５】
（削除）
【請求項６】
（削除）
【請求項７】
前記抽出手段は、前記出力迂回経路を形成する位置関係にあるものとして、２つの前記入力抵抗膜と、２つの前記出力抵抗膜と、から構成される４つの前記交点にあるものを抽出することを特徴とする請求項３に記載のマトリクス型タッチパネル装置。
【請求項８】
前記非接触候補点群の各交点について、前記出力迂回経路を介して出力される偽出力電圧値を算出する算出手段を、さらに備え、
前記判定手段は、前記非接触候補点群の各交点について、前記出力電圧値と前記偽出力電圧値とを比較することで判定することを特徴とする請求項３に記載のマトリクス型タッチパネル装置。
【請求項９】
前記判定手段は、前記各交点について、前記出力電圧値と前記偽出力電圧値とを比較すると共に、前記出力電圧値と当該交点が前記接触状態にある場合に出力される接触時電圧値とを比較することで、判定することを特徴とする請求項８に記載のマトリクス型タッチパネル装置。
【請求項１０】
前記各出力抵抗膜の出力端子は、当該出力抵抗膜の出力取込み時以外には、非接地状態となっており、
前記各出力抵抗膜の出力取込み時に、当該出力抵抗膜の前記出力端子を、前記非接地状態から接地された出力抵抗へ切り替える切替手段を、さらに備えたことを特徴とする請求項１ないし３のいずれか１項に記載のマトリクス型タッチパネル装置。
【請求項１１】
前記第１、および前記第２基板の少なくとも一方が、導電性シールド部材で覆われていることを特徴とする請求項１ないし３のいずれか１項に記載のマトリクス型タッチパネル装置。
【手続補正２】
【補正対象書類名】明細書
【補正対象項目名】０００４
【補正方法】変更
【補正の内容】
【０００４】
象が生じるかは、図９（ｂ）、図１１（ｂ）の押圧交点がタッチパネルのどの領域であるかと、基準電圧の設定とに依存して決まる。
［０００８］
そこで、本発明は、各交点において実際に押圧されていないにも拘わらず、当該交点において押圧されたものとして検出することがないマトリクス型タッチパネル装置を提供することを課題としている。
課題を解決するための手段
［０００９］
本発明のマトリクス型タッチパネル装置は、第１基板に形成されると共にそれぞれ一対の入力端子を両端に有する複数の入力抵抗膜と、第１基板に対して対向配置した第２基板に形成され、複数の入力抵抗膜に対して間隙を存してマトリクス状に交わると共にそれぞれ一対の出力端子を両端に有する複数の出力抵抗膜とを備え、各入力抵抗膜と各出力抵抗膜との交点について当該入力抵抗膜と当該出力抵抗膜とが接触した接触状態にあるか否かを検出することで、当該交点において第２基板に対し第１基板が相対的に押圧されたことを検出するマトリクス型タッチパネル装置において、各入力抵抗膜に対し、一対の入力端子のいずれかから選択的に接触検出用の電圧を印加する電圧印加手段と、各出力抵抗膜からの出力電圧値を、一対の出力端子のいずれかから選択的に取得する電圧取得手段と、各交点について、取得された出力電圧値に基づいて、その出力が、接触状態にあることによるものであるか否かを判定する判定手段と、を備えたことを特徴とする。
本発明の他のマトリクス型タッチパネル装置は、第１基板に形成された複数の入力抵抗膜と、第１基板に対して対向配置した第２基板に形成され、複数の入力抵抗膜に対して間隙を存してマトリクス状に交わる複数の出力抵抗膜とを備え、各入力抵抗膜と各出力抵抗膜との交点について当該入力抵抗膜と当該出力抵抗膜とが接触した接触状態にあるか否かを検出することで、当該交点において第２基板に対し第１基板が相対的に押圧されたことを検出するマトリクス型タッチパネル装置において、各入力抵抗膜へ接触検出用の電圧を印加する電圧印加手段と、各出力抵抗膜からの出力電圧値を取得する電圧取得手段と、各交点について、取得された出力電圧値と、当該交点が接触状態にある場合に出力される接触時電圧値と、を比較することで、その出力が、接触状態にあることによるものであるか否かを判定する判定手段と、を備えたことを特徴とする。
本発明の他のマトリクス型タッチパネル装置は、第１基板に形成された複数の入力抵抗膜と、第１基板に対して対向配置した第２基板に形成され、複数の入力抵抗膜に対して間隙を存してマトリクス状に交わる複数の出力抵抗膜とを備え、各入力抵抗膜と各出力抵抗膜との交点について当該入力抵抗膜と当該出力抵抗膜とが接触した接触状態にあるか否かを検出することで、当該交点において第２基板に対し第１基板が相対的に押圧されたことを検出するマトリクス型タッチパネル装置において、各入力抵抗膜へ接触検出用の電圧を印加する電圧印加手段と、各出力抵抗膜からの出力電圧値を取得する電圧取得手段と、各交点について、取得された出力電圧値に基づいて、出力の有無を検出する出力検出手段と、出力検出手段により同時に出力オンが検出された複数の交点のうち、接触状態にない可能性がある１の交点を含む非接触候補点群を抽出する抽出手段と、抽出された非接触候補点群の各交点について、その出力が、接触状態にあることによるものであるか否かを判定する判定手段と、を備え、抽出手段は、非接触候補点群として、そのうちの１の交点が接触状態になくても、その他の交点がそれぞれ接触状態にあるために１の交点についての出力を可能とする１以上の出力迂回経路を形成する位置関係にあるものを抽出することを特徴とする。
上記に記載のマトリクス型タッチパネル装置において、抽出手段は、出力迂回経路を形成する位置関係にあるものとして、２つの入力抵抗膜と、２つの出力抵抗膜と、から構成される４つの交点にあるものを抽出することを特徴とする。
上記に記載のマトリクス型タッチパネル装置において、非接触候補点群の各交点について、出力迂回経路を介して出力される偽出力電圧値を算出する算出手段を、さらに備え、判定手段は、非接触候補点群の各交点について、出力電圧値と偽出力電圧値とを比較することで判定することを特徴とする。
上記に記載のマトリクス型タッチパネル装置において、判定手段は、各交点について、出力電圧値と偽出力電圧値とを比較すると共に、出力電圧値と当該交点が接触状態にある場合に出力される接触時電圧値とを比較することで、判定することを特徴とする。上記に記載のマトリクス型タッチパネル装置において、各出力抵抗膜の出力端子は、当該出力抵抗膜の出力取込み時以外には、非接地状態となっており、各出力抵抗膜の出力取込み時に、当該出力抵抗膜の出力端子を、非接地状態から接地された出力抵抗へ切り替える切替手段を、さらに備えたことを特徴とする。
上記に記載のマトリクス型タッチパネル装置において、第１、および第２基板の少なくとも一方が、導電性シールド部材で覆われていることを特徴とする。
なお、以下の構成としても良い。
本発明のマトリクス型タッチパネル装置は、第１基板に形成された複数の入力抵抗膜と、第１基板に対して対向配置した第２基板に形成され、複数の入力抵抗膜に対して間隙を存してマトリクス状に交わる複数の出力抵抗膜とを備え、各入力抵抗膜と各出力抵抗膜との交点について当該入力抵抗膜と当該出力抵抗膜とが接触した接触状態にあるか否かを検出することで、当該交点において第２基板に対し第１基板が相対的に押圧されたことを検出するマトリクス型タッチパネル装置において、各入力抵抗膜へ接触検出用の電圧を印加する電圧印加手段と、各出力抵抗膜からの出力電圧値を取得する電圧取得手段と、各交点について、取得された出力電圧値に基づいて、その出力が、接触状態にあることによるものであるか否かを判定する判定手段と、を備えたことを特徴とする。
［００１０］
この構成によれば、実際には押圧されていないにも拘わらず、出力の検出された交点がある場合には、判定手段により、その出力が、接触状態にあることによるものではないと判断する。つまり、その出力が偽の出力であると判断する。このため、各交点において実際に押圧されていないにも拘わらず、当該交点において押圧されたものとして検出することがない。
［００１１］
この場合、複数の入力抵抗膜は、それぞれ一対の入力端子を両端に有し、電圧印加手段は、各入力抵抗膜に対し、一対の入力端子から選択的に押圧検出用の電圧を印加することが好ましい。また、複数の出力抵抗膜は、それぞれ一対の出力端子を両端に有し、電圧取得手段は、各出力抵抗膜からの出力電圧値を、一対の出力端子から選択的に取得することが好ましい。
［００１２］
この構成によれば、複数の入力抵抗膜が、それぞれ一対の入力端子を両端に有する場合には、各交点について、接触検出用の電圧の入力経路が、２通り形成される。
【国際調査報告】
2008026280.tif 000014
2008026280.tif 000015